(57)【要約】【課題】検診台の天板を移動させる時、あるいは操作部をレールから取り外す時の操作性を妨げるケーブルをなくしかつバッテリの充電操作が不要なＸ線診断装置を提供する。【解決手段】操作部１０に備えられた無線モジュール２３と、基台７に配設され制御部１１と床下に設置されたケーブルで接続されている無線モジュール２４は、操作部１０と制御部１１との間の入出力情報を無線で送受信する。操作部１０に備えられた受電ユニット２５は、天板９に配設された給電ユニット２６より非接触で電力の供給を受ける。したがって操作部１０に接続されるケーブルは無く、天板９の移動時あるいは操作部１０の取り外し時の操作性は良好である。またバッテリの充電操作が不要である。【選択図】          図１
2010246696.tif 000002
【特許請求の範囲】
【請求項１】
被検者にＸ線を曝射するＸ線管と、前記被検者を載置する天板を備えた検診台と、前記被検者を透過したＸ線画像を検出するＸ線検出器とを備えたＸ線診断装置において、前記Ｘ線診断装置に操作指示を与えるため術者により操作される操作部と、前記操作部に電力を非接触で供給する非接触給電手段を備えたことを特徴とするＸ線診断装置。
【請求項２】
前記非接触給電手段は、前記操作部に配設される受電ユニットと前記操作部が設置される部位に配設される給電ユニットで構成され、前記操作部の設置の有無を検出する検出手段を有することを特徴とする請求項１記載のＸ線診断装置。
【請求項３】
前記操作部が天板に設置されることを特徴とする請求項１記載のＸ線診断装置。
【請求項４】
前記操作部が床に設置されるフットスイッチであることを特徴とする請求項１記載のＸ線診断装置。
【発明の詳細な説明】
【技術分野】
【０００１】
本発明は、Ｘ線診断装置に係り、特に操作部を移動させたり着脱させる時の操作性向上のための技術に関する。
【背景技術】
【０００２】
Ｘ線診断装置の検診台上部に位置する天板には、装置の操作をする操作部をはじめとして心電計や点滴台等の周辺機器を保持する棒状のレールが天板の両サイド長手方向に配設されている。検診の種類によって使用する周辺機器の種類や使用に適した固定位置が異なるため、前記レールは術者が周辺機器を望む位置に固定可能な構造を有する。
【０００３】
特に血管撮影用Ｘ線診断装置では、前記レールに操作部を保持する場合が多い。被検者を載置した天板は、昇降動作や水平方向のスライド移動や、チルト等の傾斜動作をするものなどあり、レールに保持される操作部は天板と同じように移動する。
【０００４】
また、被検者を天板に載せたり降ろしたりする際、操作部をレールから取り外したり、レール上でスライドさせて位置をずらしたりする。
【０００５】
一方、天板を長手方向、短手方向、鉛直方向のそれぞれの方向へ術者の操作によって移動可能に設けられる持ち手を常に操作しやすい位置に配置できる検診台が提供されている。該検診台ではスイッチを併設した持ち手をレールの上を自由に移動できる構造にし、天板移動可能状態にするスイッチが押された時だけレールに持ち手を固定させることにより、術者は必要な時に必要な場所に持ち手を移動して、天板を移動する時はレールに固定されて、持ち手としての機能を充分発揮させることが可能となる（例えば特許文献１参照）。
【先行技術文献】
【特許文献】
【０００６】
【特許文献１】特開平１１−２９０３１１号公報
【発明の概要】
【発明が解決しようとする課題】
【０００７】
しかしながら従来、操作部には制御部と情報を送受信するためのケーブルや給電用ケーブルが接続されており、上述のように検診台の天板を移動させたり、操作部をレールから取り外す時、該ケーブルが移動・取り外し操作の妨げとなる。一方、操作部と制御部との情報の送受信をケーブルを介さず無線で行う場合、操作部はバッテリで駆動される方式が一般的である。この場合、所定使用期間後には必ずバッテリの充電操作が必要となり術者の負担が増え、また、バッテリ未充電時には操作部が使用できなく救急対応ができないという課題がある。
【課題を解決するための手段】
【０００８】
本発明は、被検者にＸ線を曝射するＸ線管と、前記被検者を載置する天板を備えた検診台と、前記被検者を透過したＸ線画像を検出するＸ線検出器とを備えたＸ線診断装置において、前記Ｘ線診断装置に操作指示を与えるため術者により操作される操作部と、前記操作部に電力を非接触で供給する非接触給電手段を備えるものである。しかも、前記非接触給電手段は、前記操作部に配設される受電ユニットと前記操作部が設置される部位に配設される給電ユニットで構成され、前記操作部の設置の有無を検出する検出手段を有する。また、前記操作部が天板に設置されるものである。あるいは、前記操作部が床に設置されるフットスイッチである。したがって、操作部は接続される電源ケーブルおよび充電が必要なバッテリが無くても機能する。
【発明の効果】
【０００９】
操作部は充電が必要なバッテリではなく非接触給電手段により電源が供給されるため、充電操作等の術者の負担が無い。また、バッテリ未充電による使用できない状態がないため救急対応が可能である。さらに操作部が正しい位置に設定されていない場合は検出されるので術者は操作の前に位置の修正をすることが可能である。また、操作部の入出力情報を無線で送受信する無線通信手段を備えれば操作部に接続されるケーブルがなくなり、検診台の天板を移動させたり、操作部をレールから取り外す時、操作性が向上する。
【図面の簡単な説明】
【００１０】
【図１】本発明の実施例によるＸ線診断装置の概略構成を示す図である。
【図２】操作部の無線通信手段と非接触給電手段を示すブロック図である。
【図３】無線通信手段と非接触給電手段の配置を示す図である。
【発明を実施するための形態】
【００１１】
本発明の実施例によるＸ線診断装置は、撮像装置本体と検診台と制御部で構成され、撮像装置本体はＣアーム基台に回動可能に支持されたＣアームの両端にＸ線管とＸ線検出器を配設して構成される。
【実施例】
【００１２】
本発明の実施例について図１〜図３を参照して説明する。図１は、本発明の実施例によるＸ線診断装置の概略構成を示す図である。図２は、操作部１０の無線通信手段と非接触給電手段を示すブロック図である。図３は、無線通信手段と非接触給電手段の配置を示す図である。
【００１３】
本発明の実施例によるＸ線診断装置は、図１に示すとおり、撮像装置本体１と検診台２と制御部１１で構成される。撮像装置本体１はＣアーム基台６に回動可能に支持されたＣアーム５の両端にＸ線管３と例えばＦＰＤなどで構成されるＸ線検出器４を配設して構成されている。検診台２は、床面に設置され鉛直方向に伸縮可能な基台７と、その上方で天板基台８を介して水平方向にスライド可能に取り付けられた天板９で構成され、天板９の術者Ｄ側に配設されたレール９ａに操作部１０が滑動可能に跨架されている。制御部１１は、撮像装置本体１および検診台２と床下に設置されたケーブルで接続され、撮像装置本体１および検診台２の各構成要素を制御する。
【００１４】
操作部１０に備えられた無線モジュール２３と、基台７に配設され制御部１１と床下に設置されたケーブルで接続されている無線モジュール２４は、操作部１０と制御部１１との間の入出力情報を無線で送受信する。操作部１０に備えられた受電ユニット２５は、天板９に配設された給電ユニット２６より非接触で電力の供給を受ける。受電ユニット２５と給電ユニット２６は近接して配設される。
【００１５】
本発明の実施例によるＸ線診断装置は、次のように動作する。Ｘ線管３とＸ線検出器４を天板９に載置された被検者を挟んで対向配置させ、Ｘ線管３からＸ線を照射しＸ線検出器４でＸ線透過像を得、該Ｘ線透過像は図示しないモニタに表示される。
【００１６】
図２に示すとおり、操作部１０は、各種操作スイッチで構成される操作部回路２１と、例えばマイコンで構成され操作部回路２１と無線モジュール２３を中継するインターフェース２２と、近距離無線用の例えばＢｌｕｅｔｏｏｔｈスレーブ無線モジュールで構成される無線モジュール２３と、受電コイルを備え給電ユニット２６から非接触（電磁誘導）で電力を受電し操作部１０を構成する各ユニットへ電力を供給する受電ユニット２５とで構成される。
【００１７】
無線モジュール２４は、近距離無線用の例えばＢｌｕｅｔｏｏｔｈマスタ無線モジュールで構成され、制御部１１を構成するパソコンに床下に設置されたケーブルを介して接続されている。制御部１１と操作部１０の入出力情報は、無線モジュール２３と無線モジュール２４との間で無線で送受信される。
【００１８】
給電部２０は、送電コイルを備え受電ユニット２５へ非接触（電磁誘導）で電力を送電する給電ユニット２６と、前記送電コイルを流れる電流が所定の閾値以下の時、操作部１０が正常に設置されていないものと判定し警報を発信する操作部検出部２７とで構成される。該警報は図示しないモニタに表示される。
【００１９】
図３に示すとおり、非接触給電手段を構成する受電ユニット２５と給電ユニット２６は近接して配設されるが、無線通信手段を構成する無線モジュール２３と無線モジュール２４との通信距離は例えば１０ｍであり、無線モジュール２３は操作部１０に、無線モジュール２４は基台７に配設される。給電ユニット２６は、操作部１０の後面と接する天板９の側面に埋め込み配設される。受電ユニット２５は、給電ユニット２６に近接した操作部１０の側面に配設される。あるいは、受電ユニット２５は、給電ユニット２６に接する操作部１０の後面に埋め込み配設されてもよい。また図３において図１と同じ符号で示す部品は図１と同じものなので説明は省略する。
【００２０】
本発明は以上の構成であるから、操作部１０に接続されるケーブルが無いため、検診台２の天板９を移動させる時、あるいは操作部１０をレール９ａから取り外す時の操作性が向上する。また、操作部１０は充電が必要なバッテリではなく非接触給電手段により電源が供給されるため、充電操作等の術者Ｄの負担が無い。また、バッテリ未充電による使用できない状態がないため救急対応が可能である。さらに操作部１０が正しい位置に設置されていない場合は誤動作する可能性があるが、操作部検出部２７が発する警報により術者Ｄは操作する前に位置の修正をすることが可能である。
【００２１】
図に示す実施例においては、操作部１０は天板９のレール９ａに跨架されているが、代わりに図示しない台車のレールに跨架され、給電ユニット２６が台車に配設されていても本発明は適用可能である。また、無線モジュール２４は基台７に配設されているが、Ｃアーム基台６に配設されてもよい。図示例では、操作部１０が接続されるケーブルが無い構成であるが、床に載置され術者Ｄが足で操作するフットスイッチに無線モジュール２３と受電ユニット２５を配設し、給電ユニット２６を床面の受電ユニット２５に近接した位置に配設しても本発明は適用可能である。上述のとおり本発明は図示例に限定されるものではなく種々の変形例を包含する。
【産業上の利用可能性】
【００２２】
本発明は、Ｘ線診断装置に係り、特に操作部を移動させたり着脱させる時の操作性向上のための技術に利用の可能性がある。
【符号の説明】
【００２３】
１  撮像装置本体
２  検診台
３  Ｘ線管
４  Ｘ線検出器
５  Ｃアーム
６  Ｃアーム基台
７  基台
８  天板基台
９  天板
９ａ  レール
１０  操作部
１１  制御部
２０  給電部
２１  操作部回路
２２  インターフェース
２３  無線モジュール
２４  無線モジュール
２５  受電ユニット
２６  給電ユニット
２７  操作部検出部
Ｄ  術者
【図１】
2010246696.tif 000003
【図２】
2010246696.tif 000004
【図３】
2010246696.tif 000005